【手続補正書】
【提出日】平成22年9月27日(2010.9.27)
【手続補正１】
【補正対象書類名】特許請求の範囲
【補正対象項目名】全文
【補正方法】変更
【補正の内容】
【特許請求の範囲】
【請求項１】
流体の通過のための外科用流体移送装置であって、
長手方向軸を画定し、内部チャンバを有するハブと、
該ハブから延在し、長手方向の導管を画定する細長部材と、
該ハブの該内部チャンバ内に配置される閉鎖弁と、
を備え、該閉鎖弁は、流体の通過を阻止するように該内部チャンバを実質的に封止する第１の位置と、流体通路を通る流体の通過を可能にするように該ハブ内に流体通路を確立する第２の位置との間の動きに適合され、該閉鎖弁は、略テーパ状の内部穴を画定する内壁部を有する弁ハウジングと、該弁ハウジングの該テーパ状の内部穴内に少なくとも部分的に配置される封止部材とを含み、該封止部材は、略テーパ状の構成を画定し、かつ、アクセス器具が、該閉鎖弁を通って、該細長部材の該長手方向の導管の中へ通過することを可能にする開放状態と、該アクセス器具が存在しない閉鎖状態とを有し、該弁ハウジングの該内壁部は、該封止部材と協働して、該封止部材が、その該閉鎖状態になることを可能にする、外科用流体移送装置。
【請求項２】
前記閉鎖弁は、その前記第１の位置と第２の位置との間の前記長手方向軸に沿った長手方向の動きに適合される、請求項１に記載の外科用装置。
【請求項３】
前記閉鎖弁は、通常、その前記第１の位置に向かって付勢される、請求項２に記載の外科用装置。
【請求項４】
前記閉鎖弁の前記第１の位置は、その近位位置であり、該閉鎖弁の前記第２の位置は、その遠位位置である、請求項２に記載の外科用装置。
【請求項５】
前記封止部材は、該封止部材の前記開放状態にある際、前記アクセス器具の通過を可能にするように、およびそれを通って導入された該アクセス器具との実質的な封止関係を確立するように、変位に適合された内側封止部を画定する、請求項２に記載の外科用装置。
【請求項６】
前記封止部材は、前記閉鎖弁の前記開放状態および閉鎖状態に対応する、作動位置と初期位置との間の、前記弁ハウジングに対する長手方向の動きに適合される、請求項５に記載の外科用装置。
【請求項７】
前記テーパ状の内部穴を画定する前記弁ハウジングの前記内壁部は、その前記内側封止部を実質的に閉鎖するように、前記封止部材が前記初期位置へと動くと、該封止部材と協働するように適合される、請求項６に記載の外科用装置。
【請求項８】
前記封止部材の前記作動位置は、遠位長手方向位置であり、前記初期位置は、近位長手方向位置である、請求項７に記載の外科用装置。
【請求項９】
前記封止部材は、通常、前記近位長手方向位置に向かって付勢される、請求項８に記載の外科用装置。
【請求項１０】
前記弁ハウジングは、前記ハブの前記内部チャンバを実質的に封止するように、前記閉鎖弁の前記第１の位置にある際、該ハブの内部封止壁を動作可能に係合するように適合され、かつ、前記流体通路を確立するように、該閉鎖弁の前記第２の位置にある際、該内部封止壁から動作可能に分離するように適合される、請求項１に記載の外科用装置。
【請求項１１】
前記閉鎖弁は、前記弁ハウジングに載置される弁ガスケットを含み、該弁ガスケットは、前記ハブの前記内部チャンバを実質的に封止するように、該ハブの前記内部封止壁を係合する、請求項１０に記載の外科用装置。
【請求項１２】
前記弁ガスケットの近位にあり、前記ハブ内に位置するコネクタと係合可能な弁プランジャを含み、それにより、該コネクタの進入は、該弁プランジャおよび前記閉鎖弁を、前記第１の位置から前記第２の位置へ前進させる、請求項１１に記載の外科用装置。
【請求項１３】
弁プランジャは、スロットを画定し、該スロットは、前記流体通路の一部である、請求項１２に記載の外科用装置。
【請求項１４】
前記弁ハウジングは、該弁ハウジングと、前記内部チャンバを画定する内部壁との間の流体空間を画定するように、前記ハブの該内部チャンバ内に載置され、前記流体通路は、該流体空間を組み込む、請求項１１に記載の外科用装置。
【手続補正２】
【補正対象書類名】明細書
【補正対象項目名】０００５
【補正方法】変更
【補正の内容】
【０００５】
本発明は、例えば、以下を提供する：
（項目１）
流体の通過のための外科用流体移送装置であって、
長手方向軸を画定し、内部チャンバを有するハブと、
該ハブから延在し、長手方向の導管を画定する細長部材と、
該ハブの該内部チャンバ内に配置される閉鎖弁と、
を備え、該閉鎖弁は、流体の通過を阻止するように該内部チャンバを実質的に封止する第１の位置と、流体通路を通る流体の通過を可能にするように該ハブ内に流体通路を確立する第２の位置との間の動きに適合され、該閉鎖弁は、略テーパ状の内部穴と、弁ハウジングの該テーパ状の内部穴内に少なくとも部分的に配置される封止部材とを画定する、内壁部を有する弁ハウジングを含み、該封止部材は、略テーパ状の構成を画定し、かつ、アクセス器具が、該閉鎖弁を通って、該細長部材の該長手方向の導管の中へ通過することを可能にする開放状態と、該アクセス器具が存在しない閉鎖状態とを有し、該弁ハウジングの該内壁部は、該封止部材と協働して、該封止部材が、その該閉鎖状態になることを可能にする、外科用流体移送装置。
（項目２）
上記閉鎖弁は、その上記第１の位置と第２の位置との間の上記長手方向軸に沿った長手方向の動きに適合される、項目１に記載の外科用装置。
（項目３）
上記閉鎖弁は、通常、その上記第１の位置に向かって付勢される、項目２に記載の外科用装置。
（項目４）
上記閉鎖弁の上記第１の位置は、その近位位置であり、該閉鎖弁の上記第２の位置は、その遠位位置である、項目２に記載の外科用装置。
（項目５）
上記封止部材は、該封止部材の上記開放状態にある際、上記アクセス器具の通過を可能にするように、およびそれを通って導入された該アクセス器具との実質的な封止関係を確立するように、変位に適合された内側封止部を画定する、項目２に記載の外科用装置。
（項目６）
上記封止部材は、上記閉鎖弁の上記開放状態および閉鎖状態に対応する、作動位置と初期位置との間の、上記弁ハウジングに対する長手方向の動きに適合される、項目５に記載の外科用装置。
（項目７）
上記テーパ状の内部穴を画定する上記弁ハウジングの上記内壁部は、その上記内側封止部を実質的に閉鎖するように、上記封止部材が上記初期位置へと動くと、該封止部材と協働するように適合される、項目６に記載の外科用装置。
（項目８）
上記封止部材の上記作動位置は、遠位長手方向位置であり、上記初期位置は、近位長手方向位置である、項目７に記載の外科用装置。
（項目９）
上記封止部材は、通常、上記近位長手方向位置に向かって付勢される、項目８に記載の外科用装置。
（項目１０）
上記弁ハウジングは、上記ハブの上記内部チャンバを実質的に封止するように、上記閉鎖弁の上記第１の位置にある際、該ハブの内部封止壁を動作可能に係合するように適合され、かつ、上記流体通路を確立するように、該閉鎖弁の上記第２の位置にある際、該内部封止壁から動作可能に分離するように適合される、項目１に記載の外科用装置。
（項目１１）
上記閉鎖弁は、上記弁ハウジングに載置される弁ガスケットを含み、該弁ガスケットは、上記ハブの上記内部チャンバを実質的に封止するように、該ハブの上記内部封止壁を係合する、項目１０に記載の外科用装置。
（項目１２）
上記弁ガスケットの近位にあり、上記ハブ内に位置するコネクタと係合可能な弁プランジャを含み、それにより、該コネクタの進入は、該弁プランジャおよび上記閉鎖弁を、上記第１の位置から上記第２の位置へ前進させる、項目１１に記載の外科用装置。
（項目１３）
弁プランジャは、スロットを画定し、該スロットは、上記流体通路の一部である、項目１２に記載の外科用装置。
（項目１４）
上記弁ハウジングは、該弁ハウジングと、上記内部チャンバを画定する内部壁との間の流体空間を画定するように、上記ハブの該内部チャンバ内に載置され、上記流体通路は、該流体空間を組み込む、項目１１に記載の外科用装置。
（項目１５）
流体の通過のための外科用装置であって、
長手方向軸を画定するハブと、
該ハブから遠位に延在し、長手方向の導管を画定する、細長部材と、
該閉鎖弁と該ハブとの間の流体通路を画定するように、該ハブ内に載置される閉鎖弁と、
を備え、該閉鎖弁は、流体の通過を阻止するように該流体通路を実質的に閉鎖する近位位置から、該ハブを通る流体の通過を可能にするように該流体通路を開放する遠位位置への長手方向の動きに適合され、該閉鎖弁は、弁ハウジングと、該弁ハウジングに載置された内部封止部材とを含み、該内部封止部材は、内部通路を画定し、該内部封止部材は、それにより該封止部材の該内部通路が実質的に閉鎖状態になる第１の位置と、それにより該内部封止部材の該内部通路がアクセス器具を受容する第２の位置との間の、該弁ハウジングに対する長手方向の動きに適合される、外科用装置。
（項目１６）
上記封止部材は、通常、その上記第１の位置に向かって付勢される、項目１５に記載の外科用装置。
（項目１７）
上記封止部材は、略テーパ状の構成を画定し、上記弁ハウジングの対応するテーパ状の内部穴内で受容され、該封止部材は、該封止部材の上記内部通路を実質的に閉鎖するように、該封止部材が上記第１の位置へと動くと、該テーパ状の内部穴を画定する該弁ハウジングの壁部と協働する、項目１６に記載の外科用装置。
（項目１８）
上記弁ハウジングは、上記流体通路を閉鎖するように、上記閉鎖弁の上記近位位置にある際、上記ハブ内の内部封止壁を係合するように適合される、項目１７に記載の外科用装置。
（項目１９）
上記閉鎖弁は、通常、上記近位位置に向かって付勢される、項目１８に記載の外科用装置。
（項目２０）
通常、上記内部封止部材を、上記弁ハウジングに対して該内部封止部材の近位位置に対応する上記第１の位置に付勢することによって、通常、制御弁を、その近位位置に付勢するように、該内部封止部材に係合可能なバネを含む、項目１９に記載の外科用装置。
（項目２１）
上記バネは、通常、上記封止部材を半径内側方向に付勢して、上記内部封止部材の実質的閉鎖位置の形成を促進するように、該封止部材周囲に少なくとも部分的に位置付けられる、項目２０に記載の外科用装置。
（項目２２）
上記バネは、上記実際の封止部材と一体的に形成される、項目２０に記載の外科用装置。
（項目２３）
上記バネは略Ｃ形状である、項目２２に記載の外科用装置。
（項目２４）
上記弁ハウジングは、弁ガスケットを含み、上記弁ガスケットは、上記流体通路を閉鎖するように、上記閉鎖弁の上記近位位置にある際、上記内部封止壁を係合する、項目１９に記載の外科用装置。
要旨
したがって、本開示は、患者と、流体分配または回収システムとの間の流体の安全かつ効果的な移送のための新規装置および関連する方法論を提供することにより、従来技術の不利点を克服する。好適な一実施形態において、流体の通過のための外科用流体移送装置は、長手方向軸を画定し、内部チャンバを有する、ハブと、ハブから延在し、長手方向の導管を画定する、細長部材と、ハブの内部チャンバ内に配置される閉鎖弁と、を含む。閉鎖弁は、流体の通過を阻止するように内部チャンバを実質的に封止する第１の位置と、それを通る流体の通過を可能にするようにハブ内に流体通路を確立する第２の位置との間の動きに適合される。閉鎖弁は、略テーパ状の内部穴を画定する内壁部を有する弁ハウジングと、弁ハウジングのテーパ状の内部穴内に少なくとも部分的に配置される封止部材とを含む。封止部材は、略テーパ状の構成を画定し、アクセス器具が閉鎖弁を通って、細長部材の長手方向の導管の中へ通過すること可能にする開放状態と、アクセス器具が存在しない閉鎖状態とを有する。弁ハウジングの内壁部は、封止部材と協働し、封止部材がその閉鎖状態になることを可能にする。